(57)【要約】【課題】効率的かつ低コストでエレベータのかごが昇降する昇降路内を清掃することができるエレベータ昇降路清掃装置を得る。【解決手段】エレベータのかご上に設置され、かごが昇降する昇降路内を清掃する可搬式のエレベータ昇降路清掃装置であって、筐体と、筐体内に設けられ、塵埃を集塵する集塵フィルタと、筐体の外部から空気を吸入して集塵フィルタに導入する吸気部と、筐体の外部に向けて空気を排出し、昇降路内の塵埃を舞い上げる排気部と、を備え、昇降路内を昇降することで、昇降路内を清掃するものである。【選択図】図１
2017043418.tif 000002
【特許請求の範囲】
【請求項１】
エレベータのかご上に設置され、前記かごが昇降する昇降路内を清掃する可搬式のエレベータ昇降路清掃装置であって、
筐体と、
前記筐体内に設けられ、塵埃を集塵する集塵フィルタと、
前記筐体の外部から空気を吸入して前記集塵フィルタに導入する吸気部と、
前記筐体の外部に向けて空気を排出し、前記昇降路内の塵埃を舞い上げる排気部と、を備え、
前記昇降路内を昇降することで、前記昇降路内を清掃する
エレベータ昇降路清掃装置。
【請求項２】
前記吸気部は、
外部から空気を取り入れるための吸気口と、
前記吸気口を通じて空気を吸入する吸気ファンと、を有する
請求項１に記載のエレベータ昇降路清掃装置。
【請求項３】
前記排気部は、
空気を圧縮する圧縮機と、
圧縮された空気を外部に排出するための排気口と、を有する
請求項１または請求項２に記載のエレベータ昇降路清掃装置。
【請求項４】
前記排気部は、前記昇降路の壁面に対して斜め上方を向いた排気口を有し、
前記吸気部および前記排気部は、前記昇降路内の昇降時に同時に稼働する
請求項１から請求項３までの何れか１項に記載のエレベータ昇降路清掃装置。
【請求項５】
前記排気部は、前記昇降路の壁面に対して水平方向を向いた排気口を有し、
前記吸気部は、前記昇降路内の上昇時に稼働し、
前記排気部は、前記昇降路内の下降時に稼働する
請求項１から請求項３までの何れか１項に記載のエレベータ昇降路清掃装置。
【請求項６】
前記筐体から延びて設けられ、上下方向に回動可能な可動アームと、
前記可動アームの先端に設けられた吸い込み口と、をさらに備えた
請求項１から請求項４までの何れか１項に記載のエレベータ昇降路清掃装置。
【請求項７】
前記吸い込み口の下部に取り付けられ、水平方向および下方向の物体までの距離を測定する測定部と、
前記測定部での測定結果に基づいて、前記可動アームを駆動させるアーム駆動制御部と、をさらに備えた
請求項６に記載のエレベータ昇降路清掃装置。
【請求項８】
請求項１から請求項７までの何れか１項に記載のエレベータ昇降路清掃装置を用いたエレベータ昇降路清掃方法であって、
前記エレベータ昇降路清掃装置を前記かご上に設置するステップと、
前記エレベータ昇降路清掃装置を稼働させるステップと、
前記昇降路内で前記かごを昇降させるステップと、
を有するエレベータ昇降路清掃方法。
【発明の詳細な説明】
【技術分野】
【０００１】
この発明は、エレベータのかごが昇降する昇降路内を清掃するエレベータ昇降路清掃装置および昇降路清掃方法に関する。
【背景技術】
【０００２】
エレベータが長期間にわたって使用されると、昇降路内のかごや釣り合いおもり、ガイドレール、ハンガー等の各種部材に塵埃が堆積する。このように堆積した塵埃は、かごや釣り合いおもりの円滑な昇降を妨げたり、火災発生の一因となったりすることから、昇降路内を定期的に清掃する必要がある。
【０００３】
ここで、従来は、作業者がほうきや掃除機を持ってかご上に乗り、かごを上下させながら各種部材に堆積した塵埃を清掃していた。しかしながら、階高が高いエレベータや作業可能時間の短いエレベータでの清掃は、作業者の負担が大きくなるとともに、時間内に清掃を終えることができない恐れがあるという問題があった。
【０００４】
そこで、中空形状を有し、内蔵の圧縮機からの高圧空気を昇降路壁に向けて噴出させる噴出口と、内蔵の吸気機により塵埃を吸い込む昇降路壁側を向いた吸い込み口および底面に設けられ下方を向いた吸い込み口と、かごの下部に設けた連結器と連結する連結器とを備え、昇降路内の昇降中に噴出口からの高圧空気により取り除かれた塵埃を吸い込み口から吸い込み、ピット床に落下した塵埃を吸い込み口から吸い込むエレベータ昇降路清掃装置が提案されている（例えば、特許文献１参照）。
【先行技術文献】
【特許文献】
【０００５】
【特許文献１】特開平９−１８３５８０号公報
【発明の概要】
【発明が解決しようとする課題】
【０００６】
しかしながら、従来技術には、以下のような課題がある。
すなわち、特許文献１に記載のエレベータ昇降路清掃装置は、かごの下部に連結されるものであり、未使用時にピット床に置かれるものであることから、使用時にはかごを最下部まで移動させなければ着脱することができず、作業効率が低下するとともに、他のエレベータで使い回すことができないので、コストが高くなるという問題がある。
【０００７】
この発明は、上記のような課題を解決するためになされたものであり、効率的かつ低コストでエレベータのかごが昇降する昇降路内を清掃することができるエレベータ昇降路清掃装置および昇降路清掃方法を得ることを目的とする。
【課題を解決するための手段】
【０００８】
この発明に係るエレベータ昇降路清掃装置は、エレベータのかご上に設置され、かごが昇降する昇降路内を清掃する可搬式のエレベータ昇降路清掃装置であって、筐体と、筐体内に設けられ、塵埃を集塵する集塵フィルタと、筐体の外部から空気を吸入して集塵フィルタに導入する吸気部と、筐体の外部に向けて空気を排出し、昇降路内の塵埃を舞い上げる排気部と、を備え、昇降路内を昇降することで、昇降路内を清掃するものである。
【０００９】
また、この発明に係るエレベータ昇降路清掃方法は、上記のエレベータ昇降路清掃装置を用いたエレベータ昇降路清掃方法であって、エレベータ昇降路清掃装置をかご上に設置するステップと、エレベータ昇降路清掃装置を稼働させるステップと、かごを昇降させるステップと、を有するものである。
【発明の効果】
【００１０】
この発明に係るエレベータ昇降路清掃装置および昇降路清掃方法によれば、筐体と、筐体内に設けられ、塵埃を集塵する集塵フィルタと、筐体の外部から空気を吸入して集塵フィルタに導入する吸気部と、筐体の外部に向けて空気を排出し、昇降路内の塵埃を舞い上げる排気部と、を備えた可搬式のエレベータ昇降路清掃装置をエレベータのかご上に設置し、かごを昇降させることで昇降路内を清掃する。
そのため、効率的かつ低コストでエレベータのかごが昇降する昇降路内を清掃することができる。
【図面の簡単な説明】
【００１１】
【図１】この発明の実施の形態１に係るエレベータ昇降路清掃装置を示す斜視図である。
【図２】この発明の実施の形態１に係るエレベータ昇降路清掃装置がかご上に設置された状態を模式的に示す平面図である。
【図３】この発明の実施の形態１に係るエレベータ昇降路清掃装置がかご上に設置された状態を模式的に示す側面図である。
【図４】この発明の実施の形態２に係るエレベータ昇降路清掃装置を示す側面図である。
【図５】この発明の実施の形態２に係るエレベータ昇降路清掃装置を示す正面図である。
【図６】この発明の実施の形態２に係るエレベータ昇降路清掃装置がかご上に設置された状態を模式的に示す側面図である。
【発明を実施するための形態】
【００１２】
以下、この発明に係るエレベータ昇降路清掃装置および昇降路清掃方法の好適な実施の形態につき図面を用いて説明するが、各図において同一、または相当する部分については、同一符号を付して説明する。
【００１３】
実施の形態１．
図１は、この発明の実施の形態１に係るエレベータ昇降路清掃装置を示す斜視図である。図１において、エレベータ昇降路清掃装置（以下、単に「清掃装置」とも称する）１０は、エレベータのかご上に設置され、かごを昇降路内で昇降させることで、昇降路内を清掃する可搬式の装置である。
【００１４】
また、清掃装置１０は、直方体形状の筐体１１と、筐体１１内に設けられ、塵埃を集塵する集塵フィルタ（図示せず）と、筐体１１の外部から空気を吸入して集塵フィルタに導入する吸気部と、筐体１１の外部に向けて空気を排出し、昇降路内の塵埃を舞い上げる排気部とを備えている。
【００１５】
また、吸気部は、外部から空気を取り入れるための吸気口１２と、清掃装置１０に内蔵されて吸気口１２を通じて空気を吸入する吸気ファン（図示せず）とを有している。また、排気部は、清掃装置１０に内蔵されて空気を圧縮する圧縮機（図示せず）と、圧縮された空気を外部に排出するための排気口１３とを有している。
【００１６】
ここで、清掃装置１０の電源は、かご上からとることができる。また、吸気口１２は、筐体１１の上面に設けられ、排気口１３は、筐体１１の４面の側面に設けられている。また、排気口１３は、昇降路の壁面に対して斜め上方を向いていてもよいし、昇降路の壁面に対して水平方向を向いていてもよい。
【００１７】
なお、清掃装置１０において、排気部は、圧縮機を用いず、吸気部が吸入した空気をそのまま排出してもよい。また、吸気部と排気部とは、同時に稼働させることも、別々に稼働させることもできる。吸気部と排気部とを別々に稼働させる場合には、例えば筐体１１の底面を開口面として、吸気部が稼働しているときには開口面から排気し、排気部が稼働しているときには開口面から吸気すればよい。
【００１８】
図２は、この発明の実施の形態１に係るエレベータ昇降路清掃装置がかご上に設置された状態を模式的に示す平面図である。また、図３は、この発明の実施の形態１に係るエレベータ昇降路清掃装置がかご上に設置された状態を模式的に示す側面図である。なお、図２、３では、かごと釣り合いおもりとを繋ぐロープは、図示を省略している。
【００１９】
図２、３において、清掃装置１０は、エレベータの昇降路２１内に設置されたかご用ガイドレール２２に沿って昇降するかご２３上に設置されている。また、かご２３の昇降に伴って、ロープを介してかご２３と繋がれた釣り合いおもり２４が、釣り合いおもり用ガイドレール２５に沿って昇降する。
【００２０】
ここで、清掃装置１０は、例えばかご２３上の梁等に設置されるが、詳細な図示は省略している。また、昇降路２１の乗場側の壁面には、乗場の戸２６、フェッシャープレート２７およびハンガー２８等が設けられている。上述したように、エレベータが長期間にわたって使用されると、かご２３や釣り合いおもり２４、ガイドレール２２、２５、ハンガー２８等の各種部材に塵埃が堆積する。
【００２１】
以下、図１〜３を参照しながら、上記構成のエレベータ昇降路清掃装置を用いたエレベータ昇降路清掃方法について説明する。なお、昇降路２１の清掃は、エレベータの定期点検等のタイミングで行われる。まず、作業者は、清掃作業の開始にあたり、清掃装置１０をかご２３上に設置する。このとき、作業者は、かご２３上の梁に限定されず、任意の位置に清掃装置１０を設置することができる。
【００２２】
続いて、作業者は、吸気部および排気部を稼働させる。ここで、排気口１３が昇降路２１の壁面に対して斜め上方を向いている場合には、作業者は、吸気部と排気部とを同時に稼働させる。一方、排気口１３が昇降路２１の壁面に対して水平方向を向いている場合には、作業者は、かご２３の下降時に排気部を稼働させ、かご２３の上昇時に吸気部を稼働させる。
【００２３】
次に、作業者は、例えば機械室や１階の乗場からの手動操作により、昇降路２１内でかご２３を昇降させる。このとき、かご２３の速度は、通常運転時よりも遅い速度に設定される。なお、吸気部と排気部とを別々に稼働させる場合において、吸気部および排気部の稼働状態の切り替えは、例えばリモコン等によって作業者が遠隔で切り替えてもよいし、図示しない制御部が、かご２３の上昇および下降と連動して切り替えてもよい。
【００２４】
このように、排気口１３から昇降路２１の壁面に向けて４方向に排出される空気によって、昇降路２１内の塵埃が舞い上げられる。また、塵埃が舞い上げられた空気が、吸気口１２から吸入されて、集塵フィルタに導入され、塵埃が集塵された後に排出される。最後に、作業者は、少なくとも１回かご２３を往復させてから、清掃装置１０を撤去し、昇降路２１の清掃を終了する。
【００２５】
なお、排気口１３が昇降路２１の壁面に対して斜め上方を向いている場合には、吸気部と排気部とが同時に稼働される。これにより、塵埃を昇降路２１の上方に舞い上げることができるので、吸気部と排気部とを同時に稼働させたとしても、塵埃をピット床に落とすことなく短時間で集塵することができ、作業効率を向上させることができる。
【００２６】
一方、排気口１３が昇降路２１の壁面に対して水平方向を向いている場合には、かご２３の下降時に排気部が稼働され、かご２３の上昇時に吸気部が稼働される。これにより、昇降路２１内で塵埃を舞い上げることと、塵埃が舞い上げられた空気を吸入することとを分離することができるので、塵埃を十分に集塵することができる。
【００２７】
以上のように、実施の形態１によれば、筐体と、筐体内に設けられ、塵埃を集塵する集塵フィルタと、筐体の外部から空気を吸入して集塵フィルタに導入する吸気部と、筐体の外部に向けて空気を排出し、昇降路内の塵埃を舞い上げる排気部と、を備えた可搬式のエレベータ昇降路清掃装置をエレベータのかご上に設置し、かごを昇降させることで昇降路内を清掃する。
そのため、効率的かつ低コストでエレベータのかごが昇降する昇降路内を清掃することができる。また、集塵フィルタを用いることにより、洗って繰り返し使用することができるので、コストを低減することもできる。
【００２８】
実施の形態２．
上記実施の形態１では、排気部が筐体１１の外部に向けて空気を排出し、昇降路２１内の塵埃を舞い上げると説明した。しかしながら、例えばハンガー２８等の塵埃が堆積しやすい場所では、排気部から排出された空気では、塵埃を舞い上げることができない可能性がある。
【００２９】
そこで、この発明の実施の形態２では、そのような塵埃を舞い上げるのではなく、吸い取る場合について説明する。図４は、この発明の実施の形態２に係るエレベータ昇降路清掃装置を示す側面図である。また、図５は、この発明の実施の形態２に係るエレベータ昇降路清掃装置を示す正面図である。
【００３０】
図４、５において、清掃装置１０Ａは、筐体１１から延びて設けられ、上下方向に回動可能な可動アーム１４と、可動アーム１４の先端に設けられた吸い込み口１５とを備えている。また、吸い込み口１５の下部には、水平方向および下方向の物体までの距離を測定する測定部１６が取り付けられている。なお、清掃装置１０Ａのその他の構成は、実施の形態１で示した清掃装置１０と同様なので、説明を省略する。
【００３１】
図６は、この発明の実施の形態２に係るエレベータ昇降路清掃装置がかご上に設置された状態を模式的に示す側面図である。図６において、清掃装置１０Ａは、昇降路２１内を昇降するかご２３上に設置されている。なお、その他の構成は、実施の形態１で示した図３と同様なので、説明を省略する。
【００３２】
ここで、吸い込み口１５は、昇降路２１と対向する面に吸気面を有しており、吸気部の吸気ファンの稼働により、吸い込み口１５から空気を吸い込む。また、吸い込み口１５は、吸い込んだ空気を吸気部と共通の集塵フィルタに導入する。また、吸い込み口１５の幅は、清掃装置１０Ａをかごの端に設置した場合に、ハンガー２８の端まで届く幅とする。なお、例えば吸気口１２を閉じて、吸い込み口１５のみから空気を吸い込んでもよい。
【００３３】
また、測定部１６は、例えば物体に対して光を照射するとともに、反射した光を受光して距離を測定する距離測定センサである。このとき、測定部１６は、測定した水平方向および下方向の物体までの距離を、可動アーム１４を駆動させるアーム駆動制御部（図示せず）に出力する。また、アーム駆動制御部は、入力された距離に基づいて、昇降路２１の壁面やハンガー２８と接触しないように、可動アーム１４を駆動させる。
【００３４】
以下、図４〜６を参照しながら、上記構成のエレベータ昇降路清掃装置を用いたエレベータ昇降路清掃方法について説明する。なお、昇降路２１の清掃は、エレベータの定期点検等のタイミングで行われる。まず、作業者は、清掃作業の開始にあたり、清掃装置１０Ａをかご２３上に設置する。このとき、作業者は、吸い込み口１５が昇降路２１の乗場側の壁面を向くように設置する。
【００３５】
続いて、作業者は、吸い込み口１５から空気を吸い込むために、吸気部の吸気ファンを稼働させる。次に、作業者は、例えば機械室や１階の乗場からの手動操作により、昇降路２１内でかご２３を下降させる。このとき、かご２３の速度は、通常運転時よりも遅い速度に設定される。
【００３６】
ここで、アーム駆動制御部は、測定部１６から入力された距離に基づいて、かご２３の下降に合わせて、昇降路２１の壁面やハンガー２８と接触しないように、可動アーム１４を駆動させる。このように、吸い込み口１５が昇降路２１の乗場側の壁面に沿って空気を吸い込むことによって、ハンガー２８等に堆積した塵埃を吸い取ることができる。
【００３７】
また、吸い込み口１５から吸い込まれた空気が集塵フィルタに導入され、塵埃が集塵された後に排出される。最後に、作業者は、少なくとも１回かご２３を下降させてから、清掃装置１０Ａを撤去し、昇降路２１の清掃を終了する。これにより、塵埃を舞い上げることができない場合であっても、塵埃を吸い取って、昇降路２１を清掃することができる。
【００３８】
以上のように、実施の形態２によれば、エレベータ昇降路清掃装置は、筐体から延びて設けられ、上下方向に回動可能な可動アームと、可動アームの先端に設けられた吸い込み口と、吸い込み口の下部に取り付けられ、水平方向および下方向の物体までの距離を測定する測定部と、測定部での測定結果に基づいて、可動アームを駆動させるアーム駆動制御部とをさらに備えている。
そのため、例えばハンガー等の塵埃が堆積しやすい場所であっても、塵埃を吸い取って、昇降路を清掃することができる。
【符号の説明】
【００３９】
１０、１０Ａ  清掃装置、１１  筐体、１２  吸気口、１３  排気口、１４  可動アーム、１５  吸い込み口、１６  測定部、２１  昇降路、２２  かご用ガイドレール、２３  かご、２４  釣り合いおもり、２５  釣り合いおもり用ガイドレール、２６  乗場の戸、２７  フェッシャープレート、２８  ハンガー。
【図１】
2017043418.tif 000003
【図２】
2017043418.tif 000004
【図３】
2017043418.tif 000005
【図４】
2017043418.tif 000006
【図５】
2017043418.tif 000007
【図６】
2017043418.tif 000008